(57)【特許請求の範囲】
【請求項１】
筒状の固定ポールの所定位置に照明器具の固定された筒状の可倒ポールを傾倒自在に連結した照明装置において、
固定ポールまたは可倒ポールのいずれか一方のポールの外周一半部に他方のポールの外周一半部を保持可能なアームを有する第一の連結体を設け、この他方のポールの残りの外周他半部には一方のポールの残りの外周他半部を保持可能なアームを有する第二の連結体を設け、前記可倒ポールの起立位置では、前記第一の連結体の一端が前記第二の連結体の一端に当接し前記第一の連結体の他端が前記第二の連結体の他端に当接して前記第一の連結体及び前記第二の連結体が一体に係合し前記固定ポール及び可倒ポールの外周を略隙間無く覆うことを特徴とする照明装置。
【請求項２】
前記連結体は、前記ポールの上部に設けられる上部連結体と、前記ポールの下部に設けられる下部連結体とで構成されることを特徴とする請求項１に記載の照明装置。
【請求項３】
前記上部連結体および下部連結体は、夫々前記ポールの低所に設けられ、前記照明器具は前記可倒ポールの先端部に延長ポールを介して固定されることを特徴とする請求項２に記載の照明装置。
【発明の詳細な説明】
【０００１】
【発明の属する技術分野】
本発明は、照明器具の固定された可倒ポールを有する照明装置に関する。
【０００２】
【従来の技術】
一般に、筒状の固定ポールの所定位置にボルトを貫通させて照明器具の固定された筒状の可倒ポールを傾倒自在に連結した例えば５ｍ程度の高さを有する照明装置は知られている（例えば、実公昭６３−３５４４２号公報）。
【０００３】
この種のものでは、可倒ポールを起立位置から傾倒位置まで傾倒させて可倒ポールの先端の照明器具のランプ交換等のメンテナンスを行った後、再び可倒ポールを傾倒位置から起立位置まで起立させて元の状態に戻す作業が行われる。
【０００４】
【発明が解決しようとする課題】
しかしながら、従来の構成では、可倒ポールを起立位置まで起立させて元の状態に戻したときに、可倒ポール側から補強板を宛ってその上からボルトを通して可倒ポールと固定ポールとを連結しなければならないという問題がある。
【０００５】
また、従来の構成では、補強板とボルトとを別々に準備する煩雑さに加えて、仮にポール下部を低所作業によって簡単に連結できたとしても、高所作業となるポール上部の連結は極めて困難になるという問題がある。ポールの高所が連結されない場合には、例えば強風が作用した場合などに、ボルトで連結された可倒ポールが大きく揺れて、先端の照明器具が損傷する等の問題がある。
【０００６】
そこで、本発明の目的は、上述した従来の技術が有する課題を解消し、補強板とボルトとを別々に準備することなく、固定ポールと可倒ポール間を簡単に連結することができ、しかもポールの高所をも簡単に連結して、可倒ポールの揺れを防止することのできる照明装置を提供することにある。
【０００７】
【課題を解決するための手段】
請求項１に記載の発明は、筒状の固定ポールの所定位置に照明器具の固定された筒状の可倒ポールを傾倒自在に連結した照明装置において、固定ポールまたは可倒ポールのいずれか一方のポールの外周一半部に他方のポールの外周一半部を保持可能なアームを有する第一の連結体を設け、この他方のポールの残りの外周他半部には一方のポールの残りの外周他半部を保持可能なアームを有する第二の連結体を設け、前記可倒ポールの起立位置では、前記第一の連結体の一端が前記第二の連結体の一端に当接し前記第一の連結体の他端が前記第二の連結体の他端に当接して前記第一の連結体及び前記第二の連結体が一体に係合し前記固定ポール及び可倒ポールの外周を略隙間無く覆うことを特徴とするものである。
【０００８】
この発明によれば、可倒ポールを傾倒位置から起立位置まで起立させると、固定ポールまたは可倒ポールのいずれか一方のポールに設けられた連結体のアームが、自動的に他方のポールを保持するので、これにより起立位置における固定ポールと可倒ポールとは簡単にかつ強固に連結される。
【００１０】
この発明によれば、可倒ポールを傾倒位置から起立位置まで起立させると、固定ポールまたは可倒ポールのいずれか一方のポールの外周一半部に設けられた第一の連結体のアームが、自動的に他方のポールの外周一半部を保持し、かつこれと同時に、他方のポールの残りの外周他半部に設けられた第二の連結体のアームが、一方のポールの残りの外周他半部を保持する。
【００１１】
これによれば、当該起立位置における第一、第二の連結体は固定ポールと可倒ポールの外周をほぼ完全に覆うので、意匠デザイン上優れたものになると共に、固定ポールと可倒ポールとは簡単に連結される。
【００１２】
請求項２に記載の発明は、請求項１に記載のものにおいて、前記連結体は、前記ポールの上部に設けられる上部連結体と、前記ポールの下部に設けられる下部連結体とで構成されることを特徴とするものである。
【００１３】
この発明によれば、ポールの下部に設けられる下部連結体が、固定ポールと可倒ポールとを強固に連結すると共に、ポールの上部に設けられる上部連結体が簡単に連結され、この上部連結体はポールの揺れを防止する。
【００１４】
請求項３に記載の発明は、請求項２に記載のものにおいて、上部連結体および下部連結体は、夫々前記ポールの低所に設けられ、照明器具は可倒ポールの先端部に延長ポールを介して固定されることを特徴とするものである。
【００１５】
この発明によれば、上部連結体および下部連結体が夫々ポールの低所に設けられるので、例えば上部連結体および下部連結体の位置で念のためのボルト止め作業等が行われる場合、当該作業は極めて容易になる。しかも照明器具は可倒ポールの先端部に延長ポールを介して固定されるので、この延長ポールが一本のポールで構成されれば、意匠デザイン上優れたものになる。
【００１６】
【発明の実施の形態】
以下、本発明の好適な実施の形態を図面に基づいて説明する。
【００１７】
図１および図２において、符号１は円筒状の基礎ポールを示す。この基礎ポール１の上部には塵埃、雨水等の浸入防止用蓋体３が設けられ、この蓋体３上には筒状の固定ポール５が溶接により固定されている。この固定ポール５の所定位置Ａには、連結用のボルト７を貫通させて、この軸心を中心に固定ポール５とほぼ同形状の筒状の可倒ポール９が傾倒自在に連結されている。
【００１８】
この可倒ポール９の先端部にはアダプタ１１が固定され、このアダプタ１１にはランプを有する照明器具１３が固定されている。
【００１９】
基礎ポール１には蓋体１４が設けられ、この蓋体１４をあけるとその内部には、図３に示すように下側から照明器具用の安定器１５、スイッチ類を収納した電装箱１７が収納されている。この電装箱１７から上方へ延びる給電用ケーブル１９の端部は、基礎ポール１の内部を上方に延出した後、固定ポール５の内部に進入し、後述するように、固定ポール５から可倒ポール９に移動し、この可倒ポール９の先端部の照明器具１３に接続されている。
【００２０】
基礎ポール１の内部には、更にウインチ２１が収納され、このウインチ２１には金属製のワイヤ２３が巻回されている。
【００２１】
このワイヤ２３の端部は、基礎ポール１の蓋体３を貫通して延出し、図１に示すように可倒ポール９の下端部に連結されている。従って、ウインチ２１でワイヤ２３を巻き取れば、図１にＢで示す状態から、ワイヤ２３が次第に巻き取られて、図１にＣで示す状態を経て、完全に巻き取られた状態では、図１にＤで示すように、可倒ポール９は固定ポール５と略平行に起立する。図１にＢで示す状態において、照明器具１３のメンテナンスが行われる。
【００２２】
この実施形態では、給電用ケーブル１９の端部を引き回して該ケーブル１９の端部を照明器具１３に接続する。この場合ケーブル１９は基礎ポール１の内部を上方に延出した後、固定ポール５の内部に進入し、更に図４に示すように所定位置Ａにおいて固定ポール５から可倒ポール９の内部に移動し、この可倒ポール９の内部を上方に延出した後に、照明器具１３に接続される。所定位置Ａは、可倒ポール９の傾倒の中心位置に相当する。
【００２３】
図４に示すように、所定位置Ａにおける固定ポール５および可倒ポール９には貫通孔２５が設けられ、この貫通孔２５にはボルト７が通されて、このボルト７の両端部には化粧ナット８が止められている。固定ポール５および可倒ポール９のそれぞれの対向壁部５ａ，９ａにはボルト７の貫通孔２５と同心の大きなケーブル通し孔２７，２９が設けられ、一方のケーブル通し孔２７の周囲には環状の凸部３１が設けられ、他方のケーブル通し孔２９の周囲には前述した凸部３１が嵌まり合う環状の凹部３３が設けられている。
【００２４】
この凹部３３に凸部３１を嵌合させた状態で、固定ポール５と可倒ポール９とをボルト７により連結しているので、固定ポール５と可倒ポール９間に働くせん断力はすべて環状の凸部３１にかかり、連結用のボルト７にかかることはないので、必要であれば当該ボルト７の太さを細くすることができるし、また、少ない力で可倒ポール９を傾倒させることができる。
【００２５】
連結用のボルト７は、固定ポール５および可倒ポール９のそれぞれの幅方向の中心を貫通する構成になっている。これによれば、可倒ポール９の傾倒中心が固定ポール５および可倒ポール９のそれぞれの幅方向の中心であるので、可倒ポール９をスムースに傾倒させることができる。
【００２６】
凹部３３と凸部３１間には、図４ないし図６に示すように、可倒ポール９の傾倒角度θ（図１）を規制するためのストッパ４１が設けられる。このストッパ４１は第一部材４３と第二部材４５とからなり、図６に示すように、凸部３１の先端の所定位置に小片からなる第一部材４３が設けられ、可倒ポール９が図１に示すように所定角度θまで傾倒したとき、第一部材４３に係合する小片からなる第二部材４５（図６）が凹部３３の先端に設けられている。
【００２７】
これによれば、不用意に可倒ポール９が倒れすぎることはなく、照明器具１３の破損や、可倒ポール９の折損等が防止される。
【００２８】
この実施形態では、可倒ポール９を例えば図１にＢ或いはＣで示す位置（以下「傾倒位置」）から図１にＤで示す位置（以下「起立位置」）にまで起立させたとき、固定ポール５と可倒ポール９とを自動的に連結可能な連結体１００が設けられる。この連結体１００は図２に示すようにポールの上部に設けられる上部連結体２００と、下部に設けられる下部連結体３００とで構成される。
【００２９】
上部連結体２００は、図７に示すように固定ポール（一方のポール）５の外周一半部５Ａに固定されて可倒ポール（他方のポール）９の外周一半部９Ａを保持可能なアーム２０１Ａを有する第一の連結体２０１と、可倒ポール（他方のポール）９の残りの外周他半部９Ｂに固定されて固定ポール（一方のポール）５の残りの外周他半部５Ｂを保持可能なアーム２０３Ａを有する第二の連結体２０３とを備えている。可倒ポール９が傾倒位置にあると、図７に示すように固定ポール５と可倒ポール９とは離間し、この可倒ポール９が起立位置に達すると、図８に示すように固定ポール５と可倒ポール９とは重なり合う。
【００３０】
そして、この場合には第一の連結体２０１のアーム２０１Ａが可倒ポール９の外周一半部９Ａを自動的に保持すると共に、第二の連結体２０３のアーム２０３Ａが固定ポール５の残りの外周他半部５Ｂを自動的に保持するので、従来のように、補強板とボルトとを別々に準備する必要等はなく、ポール上部の連結を極めて簡単に行うことができ、例えば当該照明装置に強風が作用したとしても、可倒ポール９が大きく揺れるようなことはない。
【００３１】
下部連結体３００は、図９に示すように可倒ポール９の外周一半部９Ａに固定されて固定ポール５の外周一半部５Ａを保持可能なアーム３０１Ａを有する第一の連結体３０１と、固定ポール５の残りの外周他半部５Ｂに固定されて可倒ポール９の残りの外周他半部９Ｂを保持可能なアーム３０３Ａを有する第二の連結体３０３とを備えている。可倒ポール９が傾倒位置にあると、図９に示すように固定ポール５と可倒ポール９とは離間し、この可倒ポール９が起立位置に達すると、図１０に示すように固定ポール５と可倒ポール９とは重なり合う。
【００３２】
そして、この場合には第一の連結体３０１のアーム３０１Ａが固定ポール５の外周一半部５Ａを自動的に保持すると共に、第二の連結体３０３のアーム３０３Ａが可倒ポール９の残りの外周他半部９Ｂを自動的に保持するので、従来のように、補強板とボルトとを別々に準備する必要等はなく、ポール下部の連結を極めて簡単に行うことができる。この下部連結体３００にあっては各アーム３０１Ａ，３０３Ａが各ポールを保持した後に、各アーム３０１Ａ，３０３Ａと各ポールとをそれぞれボルト３０５で連結することが望ましい。このボルト３０５による連結は低所で行えるので作業は極めて容易である。
【００３３】
この実施形態によれば、固定ポール５と可倒ポール９との連結が極めて容易であることに加えて、起立位置における第一、第二の連結体が固定ポール５と可倒ポール９との外周をほぼ完全に覆うので各ポール５，９の隙間が露出することはなく、意匠デザイン上優れたものになる。
【００３４】
図１１は別の実施形態を示す。これによれば上部連結体２００および下部連結体３００は、夫々ポールの低所に設けられ、照明器具１３は可倒ポール９の先端部に延長ポール４００を介して固定されている。この延長ポール４００は、例えば基端部４００Ａが固定ポール５と可倒ポール９を重ねたときの外径の大きさにほぼ等しく、先端部４００Ｂに行くにつれて外径が細くなるように形成され、その先端部４００Ｂに照明器具１３が固定される。
【００３５】
この実施形態によれば、上部連結体２００および下部連結体３００が夫々ポールの低所に設けられるので、例えば上部連結体２００および下部連結体３００の位置でボルト止め作業が必要になったとしても、当該低所での作業は極めて容易に行うことができる。しかも照明器具１３は可倒ポール９の先端部に一本のポールで構成される延長ポール４００を介して固定されるので、意匠デザイン上で優れたものになる等の効果を奏する。
【００３６】
以上、一実施形態に基づいて本発明を説明したが、本発明は、これに限定されるものでないことは明らかである。例えば、前記の実施形態では図９に示すように固定ポール５と可倒ポール９の断面形状がほぼ半円形状であったが、これに限定されるものではなく例えば図１２に示すようにほぼ矩形状であってもよい。ただし、前記各アームが各ポールの外形を保持し易いように固定ポール５と可倒ポール９の外形は滑らかな円弧であることが望ましい。
【００３７】
【発明の効果】
請求項１に記載の発明によれば、可倒ポールを傾倒位置から起立位置まで起立させると、固定ポールまたは可倒ポールのいずれか一方のポールに設けられた連結体の開口が、自動的に他方のポールを把持するので、これにより起立位置における固定ポールと可倒ポールとは簡単にかつ強固に連結される。
【００３８】
請求項１に記載の発明によれば、可倒ポールを傾倒位置から起立位置まで起立させると、固定ポールまたは可倒ポールのいずれか一方のポールの外周一半部に設けられた第一の連結体の開口が、自動的に他方のポールの外周一半部を把持し、かつこれと同時に、他方のポールの残りの外周他半部に設けられた第二の連結体の開口が、一方のポールの残りの外周他半部を把持する。
【００３９】
従って、当該起立位置における第一、第二の連結体は固定ポールと可倒ポールの外周をほぼ完全に覆うので、意匠デザイン上優れたものになると共に、固定ポールと可倒ポールとは簡単に連結される。
【００４０】
請求項２に記載の発明によれば、ポールの下部に設けられる下部連結体が、固定ポールと可倒ポールとを強固に連結すると共に、ポールの上部に設けられる上部連結体が簡単に連結され、この上部連結体はポールの揺れを防止する。
【００４１】
請求項３に記載の発明によれば、上部連結体および下部連結体が夫々ポールの低所に設けられるので、例えば上部連結体および下部連結体の位置で念のためのボルト止め作業等が行われる場合、当該作業は極めて容易になる。しかも照明器具は可倒ポールの先端部に延長ポールを介して固定されるので、この延長ポールが一本のポールで構成されれば、意匠デザイン上優れたものになる。
【図面の簡単な説明】
【図１】本発明による照明装置の一実施形態を示す正面図である。
【図２】同じく側面図である。
【図３】基礎ポールの一部断面図である。
【図４】固定ポールと可倒ポールの連結部を示す縦断面図である。
【図５】同じく横断面図である。
【図６】同じく正面図である。
【図７】上部連結体を示す断面図である。
【図８】上部連結体を示す断面図である。
【図９】下部連結体を示す断面図である。
【図１０】下部連結体を示す断面図である。
【図１１】別の実施形態を示す図２相当図である。
【図１２】別の実施形態による図９相当図である。
【符号の説明】
１  基礎ポール
５  固定ポール
７  ボルト
９  可倒ポール
１３  照明器具
１００  連結体
２００  上部連結体
２０１  第一の連結体
２０３  第二の連結体
２０１Ａ、２０３Ａ  アーム
３００  下部連結体
３０１  第一の連結体
３０３  第二の連結体
３０１Ａ、３０３Ａ  アーム
【図１】
0004096380.tif 000002
【図２】
0004096380.tif 000003
【図３】
0004096380.tif 000004
【図４】
0004096380.tif 000005
【図５】
0004096380.tif 000006
【図６】
0004096380.tif 000007
【図７】
0004096380.tif 000008
【図８】
0004096380.tif 000009
【図９】
0004096380.tif 000010
【図１０】
0004096380.tif 000011
【図１１】
0004096380.tif 000012
【図１２】
0004096380.tif 000013